(57)【要約】      （修正有）【課題】アームを介し、上下、前後、左右、回転、且つたてかけ容易と成るまな板を提供する。【解決手段】流し台の調理スペースに固着するための留め部材Ａ、留め部材Ａに接続されたアーム部材Ｂと、アーム部材Ｂの先端に接続された着脱金具部材Ｃと、着脱金具部材Ｃに接続されたまな板７とから成り、その部材Ａは定着板１と定着板１上に設けた吸盤構造２とから成り、アーム部材Ｂは複数のロッド３−１〜３−５と、各ロッドとを接続するためのピン構造４−１〜４−４とから成り、着脱金具部材Ｃはネジ５から成り、まな板７にネジ５と接続するための受けネジ部６を設けてまな板を構成する。【選択図】図１
0003158071.tif 000002
【実用新案登録請求の範囲】
【請求項１】
流し台の調理スペースに固着すべく留め部材▲Ａ▼と、核部材から複数のピン構造４−１、４−２、４−３、４−４とロッド３−１、３−２、３−３、３−４、３−５で構成するアーム部材▲Ｂ▼と核アーム部材▲Ｂ▼の先端に着脱金具部材▲Ｃ▼を設け、まな板に連設して成るまな板の改良。  本考案は、従来の流し台を自在（前後、左右、且つ立てかけ容易）に移動できるようにしたまな板の改良に係る。  その要旨とするところは、流し台の調理スペースに固着すべく留め部材▲Ａ▼と核部材から複数のピン構造４−１、４−２、４−３、４−４とロッド３−１、３−２、３−３、３−４、３−５で構成するアーム部材▲Ｂ▼と核アーム部材▲Ｂ▼の先端に着脱金具部材▲Ｃ▼を設け、まな板７に連設して成るまな板の改良にある。  従来、まな板は基本的には１枚の単体にして成るもの、或いはハンガー部分を有するものや、すべり止め機能を有するもの等々が存在している。しかし、いずれも単体にして１枚の独立形にして成るものであるから、まな板がすべり落ちたり、流し台の外へ水滴がおちたり、また手の不自由な方が洗い流す際に不都合があったり等々の欠点があった。  本考案は、このような従来の欠点を改善することができたもので、例えば第１図の一般説明図に示すように、まず従来の流し台に固着すべく留め部材▲Ａ▼は定着板１と吸盤構造２、２（またはネジ等で係止できる構造）に成り、更に該留め部材▲Ａ▼に３〜４ヶ所のピン構造４−１、４−２、４−３、４−４を有するロッド３−１、３−２、３−３、３−４、３−５によるアーム構成▲Ｂ▼としてある。したがって該アーム構成▲Ｂ▼は回転、上下、左右自在に動作が容易となる。また上記ロッド３−１、３−２、３−３、３−４、３−５の先端には、まな板７に設けた受けネジ部６により着脱容易なネジ機構▲Ｃ▼を設けて成る。  なお、上記ピン構造４−１、４−２、４−３、４−４にはスプリング機能をもたせアーム構成▲Ｂ▼に強弱のバランス機能を持たせること。或いは該アーム▲Ｂ▼を回動自在に構成することは従来技術の採用により自由である。  以上にして成る本考案によれば、従来の流し台の作業範囲において、全て片手で前後、左右自在に容易に移動でき、更に流し台から摺動落下を防ぐことができる。また、まな板７を吊り下げた状態で水道蛇口に位置させ洗浄容易であり、洗い終えたならば、そのまま立てかけた状態にして水切り、乾燥が全く簡単となった。加えて、大小の用途に合せたまな板の交換が容易であり、且つ安価にして安全に使用することができる等の有用な効果を奏する。  なお、本考案は法の精神を逸脱しない範囲で他に設計の改変を行い得るものである。
【考案の詳細な説明】
【技術分野】
【０００１】本考案は流し台を自在（前後、左右、回転、且つたてかけ容易）に移動できるようにしたまな板の改良に係る。
【背景技術】
【０００２】従来のまな板は単体にして、１枚の独立形にして成るものである。
【考案の概要】
【考案が解決しようとする課題】
【０００３】従来まな板はいずれも単体にして、１枚の独立形にして成るもので、まな板がすべり落ちたり、流し台の外へ水滴が落ちたり、又手の不自由な方が洗い流す際に不都合があったり等の欠点があった。
【課題を解決するための手段】
【０００４】本考案は従来の流し台を自在（前後、左右、回転、且つたてかけ容易）に移動ができるようにした、まな板の改良に係る。
【考案の効果】
【０００５】（イ）従来の流し台の作業範囲において全て片手で前後、左右、自在に容易に移動でき、さらに流し台から摺動落下を防げる。（ロ）まな板を吊り下げた状態で水道蛇口に位置させ洗浄容易であり、洗浄後そのままたてかけた状態で水切り、乾燥が全く簡単である。（ハ）大小のまな板の交換が容易であり、且つ安価にして安全に使用ができる等の有用な効果を奏する。
【図面の簡単な説明】
【０００６】本考案の一般説明図
【考案を実施するための形態】
【０００７】
【第１図】
は一実施例を示す一般説明図
【符号の説明】
【０００８】▲Ａ▼  …………  留め部材▲Ｂ▼  …………  アーム部材▲Ｃ▼  …………  着脱金具部材１  ………………  定着板２  ………………  吸盤構造３  ………………  ロッド４  ………………  ピン構造５  ………………  ネジ６  ………………  受けネジ部７  ………………  まな板
【図１】
0003158071.tif 000003
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
流し台の調理スペースに固着するための留め部材（Ａ）、留め部材（Ａ）に接続されたアーム部材（Ｂ）と、アーム部材（Ｂ）の先端に接続された着脱金具部材（Ｃ）と、着脱金具部材（Ｃ）に接続されたまな板（７）とから成り、その部材（Ａ）は定着板（１）と定着板（１）上に設けた吸盤構造（２）とから成り、アーム部材（Ｂ）は複数のロッド（３）と、各ロッドとを接続するためのピン構造（４）とから成り、着脱金具部材（Ｃ）はネジ（５）から成り、まな板（７）にネジ（５）と接続するための受けネジ部（６）を設けた事を特徴とするまな板。
【手続補正２】
【補正対象書類名】明細書
【補正対象項目名】全文
【補正方法】変更
【補正の内容】
【考案の詳細な説明】
【技術分野】
【０００１】  本考案は流し台を自在（前後、左右、回転、且つたてかけ容易）に移動できるようにしたまな板の改良に係る。
【背景技術】
【０００２】  従来のまな板は単体にして、１枚の独立形にして成るものである。
【考案の概要】
【考案が解決しようとする課題】
【０００３】  従来まな板はいずれも単体にして、１枚の独立形にして成るもので、まな板がすべり落ちたり、流し台の外へ水滴が落ちたり、又手の不自由な方が洗い流す際に不都合があったり等の欠点があった。
【課題を解決するための手段】
【０００４】  本考案は従来の流し台を自在（前後、左右、回転、且つたてかけ容易）に移動ができるようにした、まな板の改良に係る。
【考案の効果】
【０００５】（イ）従来の流し台の作業範囲において全て片手で前後、左右、自在に容易に移動でき、さらに流し台から摺動落下を防げる。
（ロ）まな板を吊り下げた状態で水道蛇口に位置させ洗浄容易であり、洗浄後そのままたてかけた状態で水切り、乾燥が全く簡単である。
（ハ）大小のまな板の交換が容易であり、且つ安価にして安全に使用ができる。
【図面の簡単な説明】
【０００６】  本考案の一般説明図
【考案を実施するための形態】
【０００７】  第１図の一般説明図に示すように、まず従来の流し台に固着すべく留め部材（Ａ）は定着板１と吸盤構造２、２（またはネジ等で係止できる構造）に成り、更に該留め部材（Ａ）に３〜４ヶ所のピン構造（４−１、４−２、４−３、４−４）を有するロッド（３−１、３−２、３−３、３−４、３−５）によるアーム構成（Ｂ）としてある。したがって該アーム構成（Ｂ）は回転、上下、左右自在に動作が容易となる。また上記ロッド（３−１、３−２、３−３、３−４、３−５）の先端には、まな板７に設けた受けネジ部６により着脱容易なネジ機構（Ｃ）を設けて成る。
なお、上記ピン構造（４−１、４−２、４−３、４−４）にはスプリング機能をもたせアーム構成（Ｂ）に強弱のバランス機能を持たせること。或いは該アーム（Ｂ）を回動自在に構成することは従来技術の採用により自由である。
【０００８】  ［第１図］は一実施例を示す一般説明図
【符号の説明】
【０００９】Ａ  ‥‥‥‥‥‥  留め部材
Ｂ  ‥‥‥‥‥‥  アーム部材
Ｃ  ‥‥‥‥‥‥  着脱金具部材
１  ‥‥‥‥‥‥  定着板
２  ‥‥‥‥‥‥  吸盤構造
３  ‥‥‥‥‥‥  ロッド
４  ‥‥‥‥‥‥  ピン構造
５  ‥‥‥‥‥‥  ネ    ジ
６  ‥‥‥‥‥‥  受けネジ部
７  ‥‥‥‥‥‥  まな板